(57)【要約】【課題】ユーザの利用状況に影響されてコンテンツデータの受信に失敗する可能性を低減できる無線通信装置を提供すること。【解決手段】無線により同報送信されたコンテンツデータを受信する携帯電話機１は、同報送信がされる時刻および入力されたスケジュールを記憶する記憶部３４と、同報送信のチャネルを捕捉する通信部３１と、電波非送出状態への遷移が指示された状態において、蓄積型コンテンツデータの受信時刻の到来を検出したとき、スケジュールを参照し、当該受信時刻に進行中のイベントが登録されている場合に、当該イベントにより同報送信の終了時刻より前に電波の送出を伴う操作がされる可能性があれば、蓄積型コンテンツデータの受信を行わず、当該イベントにより同報送信の終了時刻より前に電波の送出を伴う操作がされる可能性がなければ、蓄積型コンテンツデータの受信を行うように通信部３１を制御する制御部３０と、を備える。【選択図】図２
2010232910.tif 000002
【特許請求の範囲】
【請求項１】
無線により同報送信されたコンテンツデータを受信する無線通信装置であって、
前記同報送信がされる時刻を記憶する第１の記憶部と、
入力されたスケジュールを記憶する第２の記憶部と、
前記同報送信のチャネルを捕捉する通信部と、
電波を送出しない電波非送出状態への遷移が指示された状態において、前記第１の記憶部に記憶された第１のコンテンツデータの受信時刻の到来を検出したとき、前記第２の記憶部に記憶されたスケジュールを参照し、当該受信時刻に進行中のイベントが登録されている場合に、当該イベントにより前記同報送信の終了時刻より前に電波の送出を伴う操作がされる可能性があれば、当該第１のコンテンツデータの受信を行わず、当該イベントにより前記同報送信の終了時刻より前に前記電波の送出を伴う操作がされる可能性がなければ、当該第１のコンテンツデータの受信を行うように前記通信部を制御する制御部と、を備える無線通信装置。
【請求項２】
前記第２の記憶部は、前記スケジュールと関連付けて、前記電波非送出状態への遷移および前記電波非送出状態の解除を行う時刻を示すデータを記憶し、
前記制御部は、前記電波非送出状態を解除する時刻に、前記電波の送出を伴う操作がされる可能性があると判断することを特徴とする請求項１に記載の無線通信装置。
【請求項３】
前記電波非送出状態は電源オフの状態であって、
前記第２の記憶部は、前記スケジュールと関連付けて、自装置の電源オフおよびオンの時刻を示すデータを記憶し、
前記制御部は、電源オフから電源オンへ切り替わる時刻に、前記電波の送出を伴う操作がされる可能性があると判断することを特徴とする請求項１に記載の無線通信装置。
【請求項４】
前記通信部は、前記第１のコンテンツデータの受信完了までに要する時間を予め特定することで、前記同報送信の終了時刻を取得することを特徴とする請求項１から請求項３のいずれか一項に記載の無線通信装置。
【請求項５】
前記制御部は、前記第１のコンテンツデータの受信時刻に進行中のイベントが登録されていない場合、前記同報送信の終了時刻より前に前記電波の送出を伴う操作がされる可能性があると判断し、前記第１のコンテンツデータの受信を行わないことを特徴とする請求項１から請求項４のいずれか一項に記載の無線通信装置。
【請求項６】
前記制御部は、前記同報送信の終了時刻より前に前記電波の送出を伴う操作がされる可能性があると判断したことに基づいて前記第１のコンテンツデータの受信を行なわない場合、所定容量以下のコンテンツデータである第２のコンテンツデータを選択して受信することを特徴とする請求項１から請求項５のいずれか一項に記載の無線通信装置。
【請求項７】
前記通信部は、前記同報送信のチャネルを捕捉可能な第１の通信プロトコルと、当該第１の通信プロトコルとは異なる第２の通信プロトコルとに対応し、前記電波非送出状態への遷移が指示された状態においては、前記第２の通信プロトコルを稼働させることなく前記第１の通信プロトコルを稼働させることを特徴とする請求項１から請求項６のいずれか一項に記載の無線通信装置。
【請求項８】
前記第１の通信プロトコルはデータ通信専用プロトコル、前記第２の通信プロトコルは音声通話もサポートする音声通信プロトコルであることを特徴とする請求項７に記載の無線通信装置。
【発明の詳細な説明】
【技術分野】
【０００１】
本発明は、同報送信されたデータを受信する無線通信装置に関する。
【背景技術】
【０００２】
従来、携帯電話機等の無線通信装置においては、例えば、音声通話が可能なＣＤＭＡ２０００＿１ｘ方式や、データ通信専用のＣＤＭＡ２０００＿１ｘ＿ＥＶＤＯ（Ｅｖｏｌｕｔｉｏｎ  Ｄａｔａ  Ｏｎｌｙ、あるいはＥｖｏｌｕｔｉｏｎ  Ｄａｔａ  Ｏｐｔｉｍｉｚｅｄ）方式等、複数の通信システムが存在している。
【０００３】
また、ＥＶＤＯ方式においては、ＢＣＭＣＳ（Ｂｒｏａｄ−Ｃａｓｔ  Ｍｕｌｔｉ−Ｃａｓｔ  Ｓｅｒｖｉｃｅ）と呼ばれる同報送信のサービスが提供されている。ＢＣＭＣＳでは、ＣＤＭＡ２０００＿１ｘ＿ＥＶＤＯの通信エリア内の無線通信装置に向けて、コンテンツデータを一斉配信する。無線通信装置は、受信したいコンテンツの情報を予め登録しておく。そして、無線通信装置は、登録したコンテンツの配信開始時刻になると、配信エリア内で周期的に送信されている報知情報を受信し、登録コンテンツが配信されていることを確認すると、コンテンツデータの受信を開始する。
【０００４】
ところが、ＢＣＭＣＳの配信時間や配信中に、音声通話やパケットデータ通信等が発生したり、電源オフや通信エリア圏外となったりした場合には、無線通信装置は、ＢＣＭＣＳのデータ受信ができない。そのため、特に大容量の蓄積型コンテンツの場合には、データ受信の阻害要因が少なくなる深夜に配信されることが多い。また、各種通信が発生しない電源オフの間に積極的に受信する方法（例えば、特許文献１参照）も考えられる。
【先行技術文献】
【特許文献】
【０００５】
【特許文献１】特開２００７−３２９９６１号公報
【発明の概要】
【発明が解決しようとする課題】
【０００６】
しかしながら、深夜であっても、通話やパケット通信が行われる場合や電源がオフされる場合もある。また、電源オフ中にデータ受信している場合でも、受信中に電源オンとなり、他の通信が開始される場合もある。このように、データ受信の阻害要因を排除することは難しかった。
【０００７】
本発明は、ユーザの利用状況に影響されてコンテンツデータの受信に失敗する可能性を低減できる無線通信装置を提供することを目的とする。
【課題を解決するための手段】
【０００８】
本発明に係る無線通信装置は、無線により同報送信されたコンテンツデータを受信する無線通信装置であって、前記同報送信がされる時刻を記憶する第１の記憶部と、入力されたスケジュールを記憶する第２の記憶部と、前記同報送信のチャネルを捕捉する通信部と、電波を送出しない電波非送出状態への遷移が指示された状態において、前記第１の記憶部に記憶された第１のコンテンツデータの受信時刻の到来を検出したとき、前記第２の記憶部に記憶されたスケジュールを参照し、当該受信時刻に進行中のイベントが登録されている場合に、当該イベントにより前記同報送信の終了時刻より前に電波の送出を伴う操作がされる可能性があれば、当該第１のコンテンツデータの受信を行わず、当該イベントにより前記同報送信の終了時刻より前に前記電波の送出を伴う操作がされる可能性がなければ、当該第１のコンテンツデータの受信を行うように前記通信部を制御する制御部と、を備える。
【０００９】
また、前記第２の記憶部は、前記スケジュールと関連付けて、前記電波非送出状態への遷移および前記電波非送出状態の解除を行う時刻を示すデータを記憶し、前記制御部は、前記電波非送出状態を解除する時刻に、前記電波の送出を伴う操作がされる可能性があると判断することが好ましい。
【００１０】
また、前記電波非送出状態は電源オフの状態であって、前記第２の記憶部は、前記スケジュールと関連付けて、自装置の電源オフおよびオンの時刻を示すデータを記憶し、前記制御部は、電源オフから電源オンへ切り替わる時刻に、前記電波の送出を伴う操作がされる可能性があると判断することが好ましい。
【００１１】
また、前記通信部は、前記第１のコンテンツデータの受信完了までに要する時間を予め特定することで、前記同報送信の終了時刻を取得することが好ましい。
【００１２】
また、前記制御部は、前記第１のコンテンツデータの受信時刻に進行中のイベントが登録されていない場合、前記同報送信の終了時刻より前に前記電波の送出を伴う操作がされる可能性があると判断し、前記第１のコンテンツデータの受信を行わないことが好ましい。
【００１３】
また、前記制御部は、前記同報送信の終了時刻より前に前記電波の送出を伴う操作がされる可能性があると判断したことに基づいて前記第１のコンテンツデータの受信を行なわない場合、所定容量以下のコンテンツデータである第２のコンテンツデータを選択して受信することが好ましい。
【００１４】
また、前記通信部は、前記同報送信のチャネルを捕捉可能な第１の通信プロトコルと、当該第１の通信プロトコルとは異なる第２の通信プロトコルとに対応し、前記電波非送出状態への遷移が指示された状態においては、前記第２の通信プロトコルを稼働させることなく前記第１の通信プロトコルを稼働させることが好ましい。
【００１５】
また、前記第１の通信プロトコルはデータ通信専用プロトコル、前記第２の通信プロトコルは音声通話もサポートする音声通信プロトコルであることが好ましい。
【発明の効果】
【００１６】
本発明によれば、ユーザの利用状況に影響されてコンテンツデータの受信に失敗する可能性を低減させることができる。
【図面の簡単な説明】
【００１７】
【図１】本発明の実施形態に係る携帯電話機の外観斜視図である。
【図２】本発明の実施形態に係る携帯電話機の機能を示すブロック図である。
【図３】本発明の実施形態に係る携帯電話機の電源がオンである場合のＢＣＭＣＳ受信の処理を示すフローチャートである。
【図４】本発明の実施形態に係るスケジュールテーブルを示す図である。
【図５】本発明の実施形態に係る蓄積型コンテンツの配信時間に対して、スケジュールに登録されているイベントのタイミングを場合分けした図である。
【図６】本発明の実施形態に係る携帯電話機の電源がオフである場合のＢＣＭＣＳ受信の処理を示すフローチャートである。
【発明を実施するための形態】
【００１８】
以下、本発明の好適な実施形態の一例について説明する。なお、本実施形態では、無線通信装置の一例として、携帯電話機１を説明する。なお、本発明の無線通信装置はこれには限られず、例えば、ＰＨＳやＰＤＡ（Ｐｅｒｓｏｎａｌ  Ｄｉｇｉｔａｌ  Ａｓｓｉｓｔａｎｔ）の他、通信機能を備えたナビゲーション装置やパーソナルコンピュータ、さらには、これらに接続される通信モジュール等、様々な無線通信装置に適用可能である。
【００１９】
図１は、本実施形態に係る携帯電話機１（無線通信装置）の外観斜視図である。なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００２０】
携帯電話機１は、操作部側筐体２と、表示部側筐体３と、を備えて構成される。操作部側筐体２は、表面部１０に、操作部１１と、携帯電話機１の使用者が通話時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２１】
また、表示部側筐体３は、表面部２０に、各種情報を表示するための表示部２１と、通話の相手側の音声を出力するレシーバ２２と、を備えて構成されている。
【００２２】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２３】
図２は、本実施形態に係る携帯電話機１の機能を示すブロック図である。携帯電話機１は、操作部１１と、表示部２１と、制御部３０と、通信部３１と、アンテナ３２と、音声制御部３３と、記憶部３４（第１の記憶部、第２の記憶部）と、を備える。
【００２４】
制御部３０は、携帯電話機１の全体を制御しており、例えば、表示部２１、通信部３１、音声制御部３３等に対して所定の制御を行う。また、制御部３０は、操作部１１等から入力を受け付けて、各種処理を実行する。そして、制御部３０は、処理実行の際には、記憶部３４を制御し、各種プログラムおよびデータの読み出し、およびデータの書き込みを行う。
【００２５】
通信部３１は、所定の使用周波数帯（例えば、２ＧＨｚ帯や８００ＭＨｚ帯等）で外部装置（基地局）と通信を行う。そして、通信部３１は、アンテナ３２より受信した信号を復調処理し、処理後の信号を制御部３０に供給し、また、制御部３０から供給された信号を変調処理し、アンテナ３２から外部装置に送信する。
【００２６】
ここで、通信部３１は、データ通信専用の通信プロトコルであるＥＶＤＯ（第１の通信プロトコル）と、音声通話を提供する音声通信プロトコルであるＣＤＭＡ２０００＿１ｘ（第２の通信プロトコル）と、の双方に対応している。通信部３１は、制御部３０からの指令に基づいて、一方の通信プロトコルにより通信を行う。また、例えば時分割により双方の通信プロトコルにより通信を行ってもよい。本実施形態では、通信部３１は、ＥＶＤＯにより、ＢＣＭＣＳの配信データ（コンテンツデータ）を受信する。
【００２７】
音声制御部３３は、制御部３０の制御に従って、通信部３１から供給された信号に対して所定の音声処理を行い、処理後の信号をレシーバ２２に出力する。レシーバ２２は、音声制御部３３から供給された信号を外部に出力する。なお、この信号は、レシーバ２２に代えて、または、レシーバ２２と共に、スピーカ（図示せず）から出力されるとしてもよい。
【００２８】
また、音声制御部３３は、制御部３０の制御に従って、マイク１２から入力された信号を処理し、処理後の信号を通信部３１に出力する。通信部３１は、音声制御部３３から供給された信号に所定の処理を行い、処理後の信号をアンテナ３２より出力する。
【００２９】
記憶部３４は、例えば、ワーキングメモリを含み、制御部３０による演算処理に利用される。また、本実施形態に係る各種プログラムやパラメータ等、さらには、ＢＣＭＣＳのコンテンツデータの配信時刻や後述のスケジュールテーブルを記憶する。なお、記憶部３４は、着脱可能な外部メモリを兼ねていてもよい。
【００３０】
ここで、ＢＣＭＣＳのサービス内容について説明する。ＢＣＭＣＳのサービスとしては、大きく分けて２つがある。第１に蓄積型コンテンツの配信、第２がタイムリー配信である。
【００３１】
まず、前者は、予めユーザがコンテンツ事業者と情報配信の契約を交わしておくことが一般的である。このコンテンツ事業者は、各契約ユーザに、データを配信する時間を通知しておく。端末は、このように予め通知された時間に、ＥＶＤＯプロトコルを用いて、基地局から送信されるデータを継続して受信することで必要な情報を取得する。なお、ここで配信されるデータは、タイムリー配信でのデータサイズに比して明らかに大型であり、そのデータの受信継続時間は数分以上に及ぶこともある。このため、トラフィック負荷の少ない、なおかつユーザによる操作の発生可能性が少ない深夜帯での配信が好まれる傾向にある。
【００３２】
次に、後者は、天気予報や断片的な時事ニュースなどの、小さいサイズのデータ配信によく用いられるサービスである。このサービスもまた、ＥＶＤＯプロトコルを用いて、指定時間に受信動作を開始するものではあるものの、その受信に要する時間が前者とは大幅に異なる。具体的には、その時々の通信技術レベルやトラフィック状況によるものの、前者が数分から数十分であることに対し、後者は数秒から数十秒程度である。そして、後者は、例えば1時間周期の決められた時刻に、データを受信する動作に入ることになる。
【００３３】
［電源オンの場合］
図３は、本実施形態に係る携帯電話機１の電源がオンである場合のＢＣＭＣＳ受信の処理を示すフローチャートである。
【００３４】
ステップＳ１では、制御部３０は、ＥＶＤＯ通信が可能な周波数チャネルのスキャンを開始する。このとき、制御部３０は、記憶部３４に記憶されたＰＲＬと呼ばれる周波数リストに従って、バンドクラスの優先順にバンドクラス内の周波数を順にスキャンし、所定以上の電界強度をもつ周波数チャネルを捕捉する。
【００３５】
ところで、ＣＤＭＡ２０００＿１ｘ方式およびＥＶＤＯ方式では、各通信システム、つまり１つの周波数帯（バンドクラス）内においても、使用することのできる周波数チャネルは複数存在している。また、日本においては、従来バンドクラス３のいわゆる旧８００ＭＨｚ帯のみでＣＤＭＡ２０００＿１ｘ方式を賄ってきたが、周波数帯域の見直しにより、使用可能なバンドクラスが現在は追加されている。すなわち、上り下りの周波数帯域を入れ替えると共に周波数チャネルをバンドクラス０に準拠するよう見直した、いわゆる新８００ＭＨｚ帯と、さらに高周波のバンドクラス６の２ＧＨｚ帯が使用できるようになっている。
【００３６】
ステップＳ２では、制御部３０は、ステップＳ１でＥＶＤＯのスキャンに成功したか否かを判定する。この判定がＹＥＳの場合は、ＥＶＤＯ通信が可能な周波数チャネルが捕捉できたので、ステップＳ３に移る。一方、判定がＮＯの場合は、ステップＳ１に戻り周波数チャネルのスキャンを継続する。
【００３７】
ステップＳ３では、制御部３０は、携帯電話機１を識別するための固有のＩＤであるＵＡＴＩ（Ｕｎｉｃａｓｔ  Ａｃｃｅｓｓ  Ｔｅｒｍｉｎａｌ  Ｉｄｅｎｔｉｆｉｅｒ）の取得およびセッションネゴシエーションを行う。このセッションネゴシエーションにより、制御部３０は、ＢＣＭＣＳの報知情報の間欠受信タイミングを決定する。
【００３８】
ステップＳ４では、制御部３０は、ステップＳ３でＵＡＴＩおよびセッションを取得できたか否かを判定する。この判定がＹＥＳの場合はステップＳ５に移り、判定がＮＯの場合はステップＳ３の処理を継続する。
【００３９】
ステップＳ５では、制御部３０は、ＥＶＤＯによる接続が確立できたので、通信要求を含む制御チャネルの待受けを開始する。
【００４０】
ステップＳ６では、制御部３０は、記憶部３４に予め記憶してある受信希望のＢＣＭＣＳコンテンツの配信時刻であるか否かを判定する。この判定がＹＥＳの場合はステップＳ７に移り、判定がＮＯの場合はステップＳ５の待受けを継続する。
【００４１】
ステップＳ７では、制御部３０は、ステップＳ５で開始したＥＶＤＯの待受けと共に、ステップＳ３で決定した間欠受信タイミングによりＢＣＭＣＳの報知情報の受信を試みるＤｕａｌ  Ｓｌｏｔｔｅｄ  Ｍｏｄｅに遷移する。
【００４２】
ステップＳ８では、制御部３０は、ステップＳ７で受信したＢＣＭＣＳの報知情報に基づいて、受信希望のＢＣＭＣＳコンテンツが配信されていることを確認すると、データ受信を開始する。
【００４３】
ステップＳ９では、制御部３０は、ステップＳ８のデータ受信が終了したか否かを判定する。この判定がＹＥＳの場合はステップＳ５に戻ってＥＶＤＯの待受けを再開する。一方、判定がＮＯの場合はステップＳ８のデータ受信を継続する。
【００４４】
［電源オフの場合］
次に、携帯電話機１の電源がオフである場合のＢＣＭＣＳ受信の処理を説明する。
図４は、本実施形態に係る記憶部３４に格納されるスケジュールテーブルを示す図である。制御部３０は、このスケジュールテーブルに記憶されたイベントは、操作部１１を介してユーザにより入力されたものであり、このイベントの発生タイミングに基づいて、受信するＢＣＭＣＳのコンテンツデータを選択する。
【００４５】
スケジュールテーブルには、イベントの開始日時および終了日時と共に、このイベントの間に携帯電話機１の電源がオフとなるか否かを示すフラグが記憶される。具体的には、例えば、電波の送出が制限されている「病院」へ行くというイベントでは、電源オフが設定されているが、電波の送出の制限がない「レストラン」へ行くというイベントでは、電源オフは設定されていない。
【００４６】
ここで、例えば、イベント「病院」が終了する時刻には、電源がオンとなり、所定の通信システム（ＣＤＭＡ２０００＿１ｘまたはＥＶＤＯ）による音声着信や電子メール送信等、ＢＣＭＣＳ受信を阻害する処理がなされる可能性がある。そこで、制御部３０は、この電源がオンとなる時刻にＢＣＭＣＳ受信が行われていないように、受信するコンテンツデータを選択する。
【００４７】
ＢＣＭＣＳのコンテンツには、大容量の蓄積型コンテンツと、所定容量以下のタイムリー型コンテンツとがある。タイムリー型コンテンツは、１０秒程度までの短時間で受信が完了するため、携帯電話機１の電源オンの時刻と重なった場合であっても、起動が完了するまでに受信が完了する。一方、蓄積型コンテンツの場合は、電源オンの時刻（イベントの終了時刻）までに受信が完了している必要がある。
【００４８】
図５は、本実施形態に係る蓄積型コンテンツの配信時間に対して、スケジュールに登録されているイベントのタイミングを場合分けした図である。なお、イベントＡ、Ｂ、およびＣは、全て電源オフとなることが設定されているものとする。
【００４９】
イベントＡは、コンテンツの配信開始時刻ｔ１において進行中のイベントであり、コンテンツの配信終了時刻ｔ２よりも前に終了する。この場合、イベントが終了してから時刻ｔ２までの間（破線の期間）に携帯電話機１の電源がオンとなり、通信処理が実行される可能性がある。そこで、制御部３０は、この蓄積型コンテンツの受信は行わず、小容量のタイムリー型コンテンツの受信を選択する。
【００５０】
イベントＢは、コンテンツの配信開始時刻ｔ１において進行中のイベントであり、コンテンツの配信終了時刻ｔ２よりも後に終了する。この場合、蓄積型コンテンツの配信中に携帯電話機１の電源がオンとなり通信処理が実行される可能性は低い。そこで、制御部３０は、この蓄積型コンテンツの受信を選択する。
【００５１】
イベントＣは、コンテンツの配信開始時刻ｔ１において進行中ではないイベントである。この場合、イベントが登録されていない期間（破線の期間）に携帯電話機１の電源がオンとなり、通信処理が実行される可能性がある。そこで、制御部３０は、この蓄積型コンテンツの受信は行わず、小容量のタイムリー型コンテンツの受信を選択する。
【００５２】
図６は、本実施形態に係る携帯電話機１の電源がオフである場合のＢＣＭＣＳ受信の処理を示すフローチャートである。
【００５３】
ステップＳ１１では、制御部３０は、記憶部３４に予め記憶してある受信希望のＢＣＭＣＳコンテンツの配信時刻が近付いているか否かを判定する。具体的には、数秒から１分程度の所定の時間前となったか否かを判定する。この判定がＹＥＳの場合は、ＢＣＭＣＳの報知情報が送信されていると考えられるのでステップＳ１２に移り、判定がＮＯの場合は、ステップＳ１１で配信時刻の到来を待機する。
【００５４】
ステップＳ１２では、制御部３０は、ＣＤＭＡ２０００＿１ｘを起動させることなく、ＥＶＤＯを起動させる。ＣＤＭＡ２０００＿１ｘを起動させないことにより、音声通話等のＢＣＭＣＳ受信以外の通信を極力生じさせないように制御する。このとき、制御部３０は、起動されたＥＶＤＯを使用した送信処理が行われないように、通信部３１をさらに制御することが好ましい。
【００５５】
ステップＳ１３では、制御部３０は、記憶部３４に記憶されているスケジュールテーブル（図４）を参照し、コンテンツの配信時刻において進行中となっている電源オフのイベントを抽出する。
【００５６】
ステップＳ１４では、制御部３０は、ステップＳ１３で電源オフのイベントを抽出したか否かを判定する。この判定がＹＥＳの場合はステップＳ１５に移り、判定がＮＯの場合はステップＳ１７に移る。
【００５７】
ステップＳ１５では、制御部３０は、蓄積型コンテンツの配信終了時刻よりも、ステップＳ１３で抽出されたイベントの終了時刻、すなわち電源がオンとなる時刻の方が後であるか否かを判定する。この判定がＹＥＳの場合はステップＳ１６に移り、判定がＮＯの場合はステップＳ１７に移る。
【００５８】
ここで、蓄積型コンテンツの配信終了時刻または配信に要する時間は、予め通知を受けて記憶部３４に記憶しておくこととしてよい。あるいは、報知情報として受信してもよいし、コンテンツデータの容量から算出することで特定してもよい。
【００５９】
ステップＳ１６では、制御部３０は、蓄積型コンテンツの配信終了時刻までの間、電源オフの状態が継続すると判断し、この蓄積型コンテンツの受信を選択する。
【００６０】
ステップＳ１７では、制御部３０は、蓄積型コンテンツの配信開始から終了までの間に電源がオンとなる可能性があると判断し、蓄積型コンテンツの受信失敗を避けるため、タイムリー型コンテンツの受信を選択する。
【００６１】
ステップＳ１８では、制御部３０は、ステップＳ１６またはステップＳ１７で選択したＢＣＭＣＳコンテンツの報知情報を確認すると、コンテンツデータの受信を開始する。
【００６２】
ステップＳ１９では、制御部３０は、ステップＳ１８のデータ受信が終了したか否かを判定する。この判定がＹＥＳの場合はステップＳ２０に移り、判定がＮＯの場合はステップＳ１８のデータ受信を継続する。
【００６３】
ステップＳ２０では、制御部３０は、起動中のＥＶＤＯを終了させ、全ての無線通信を止めた状態でステップＳ１１に戻る。
【００６４】
以上のように、本実施形態によれば、携帯電話機１の電源オフおよびオンの操作を伴うユーザのスケジュールに応じて、データ受信するＢＣＭＣＳコンテンツの種類（蓄積型コンテンツまたはタイムリー型コンテンツ）を選択する。したがって、ユーザの使用状況に応じて受信に失敗する可能性を低減させることができる。
【００６５】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００６６】
前述の実施形態では、電源オフの状態でのＢＣＭＣＳ受信を説明したが、本発明の適用範囲はこれには限られない。例えば、通信機能を制限した電波オフモードの場合であってもよい。この場合、制御部３０は、操作部１１からの入力や表示部２１への表示を制限することにより、起動したＥＶＤＯを使用した送信処理の実行を抑制することができる。
【００６７】
また、前述の実施形態では、通信部３１は１つのアンテナ３２により通信を行ったが、これには限られない。例えば、複数のアンテナ、さらには複数の通信部を備えて構成されてもよい。
【００６８】
また、前述の実施形態では、各種データの記憶手段として記憶部３４を説明したが、本発明の構成はこれには限られない。例えば、ＢＣＭＣＳのコンテンツデータが配信される時刻を記憶する第１の記憶部と、スケジュールテーブル（図４）を記憶する第２記憶部と、を別途備えてもよい。
【００６９】
さらに、記憶部３４は、電源オフや電波オフ等の電波非送出状態への遷移が指示される前に取得したパラメータ（チャネル情報）を記憶しておき、制御部３０は、ＢＣＭＣＳの配信時刻となってＥＶＤＯを起動する際には、記憶部３４に記憶されているパラメータに基づいて、チャネルとの同期を取って通信セッションを確立することとしてよい。
【００７０】
また、前述の実施形態では、情報配信サービスの一例としてＢＣＭＣＳを用いた例を示したが、本発明の適用範囲はこれには限られず、その他の情報配信サービス、例えばＣＢＳ（Ｃｅｌｌ  Ｂｒｏａｄｃａｓｔ  Ｓｅｒｖｉｃｅ）等でもよい。
【符号の説明】
【００７１】
１  携帯電話機（無線通信装置）
１１  操作部
３０  制御部
３１  通信部
３２  アンテナ
３３  音声制御部
３４  記憶部（第１の記憶部、第２の記憶部）
【図１】
2010232910.tif 000003
【図２】
2010232910.tif 000004
【図３】
2010232910.tif 000005
【図４】
2010232910.tif 000006
【図５】
2010232910.tif 000007
【図６】
2010232910.tif 000008